(57)【要約】【課題】情報表示面を大きく確保し、視覚的効果に優れた首掛けラベルを提供する。  【解決手段】本発明は、複数のシート片を積層し接合して形成され、該複数のシート片に形成された切れ目又は開口部内に容器の首部を挿通して係止する首掛けラベル５において、シート片の最下層に配置された第１のシート片６には、容器１の首部２の周縁部に互いに対向するように第１及び第２の切れ目１６、１７が形成され、該第１及び第２の切れ目１６、１７の間には、これらの各中間部間を連結する第３の切れ目が形成され、第１から第３の切れ目に囲まれた部分は、互いに離間する方向に開口可能とされ、開口された部分に挿通される容器首部２に係止可能な係止壁部とされ、各係止壁部の根元部１０ａ外方に、第２及び第３のシート片７、８の基端部が接着され、それらのいずれか一方又は双方の先端が該係止壁部を覆うように配置されていることを特徴とする。【選択図】図１
2011081321.tif 000002
【特許請求の範囲】
【請求項１】
複数のシート片を積層し接合して形成され、該複数のシート片に形成された切れ目又は開口部内に容器の首部を挿通して係止する首掛けラベルにおいて、
前記シート片の最下層に配置された第１のシート片には、容器の首部を挿通する部分の周縁部に互いに対向するように第１及び第２の切れ目が形成され、
該第１及び第２の切れ目の間には、これら第１及び第２の切れ目の各中間部間を連結する第３の切れ目が形成され、
これら第１から第３の切れ目に囲まれた部分は、それぞれ互いに離間する方向に開口可能とされるとともに、開口された部分に挿通される容器首部に係止可能な係止壁部とされ、
これら各係止壁部の根元部外方に、第２及び第３のシート片の基端部が接着され、
これら第１及び第２のシート片のいずれか一方又は双方の先端が該係止壁部を覆うように配置されていることを特徴とする首掛けラベル。
【請求項２】
請求項１に記載の首掛けラベルにおいて、  
前記第２及び第３のシート片は、一のシート片を前記第１及び第２の切れ目間方向に形成する第４の切れ目において分割することにより形成されたものであることを特徴とする首掛けラベル。
【請求項３】
請求項２に記載の首掛けラベルにおいて、
前記第４の切れ目は、前記基端部が接着された接着部の一方に寄せて形成されていることを特徴とする首掛けラベル。
【請求項４】
請求項１に記載の首掛けラベルにおいて、
第２及び第３のシート片は、これら第２及び第３のシート片間方向の長さ寸法が互いに異なるシート片からなり、
それぞれが、少なくとも係止壁部を覆い得る長さ寸法とされていることを特徴とする首掛けラベル。
【請求項５】
請求項１から４のいずれかに記載の首掛けラベルにおいて、
前記第１のシート片と第２、第３のシート片とは、前記基端部が接着された接着部の間において剥離可能に接合されていることを特徴とする首掛けラベル。
【請求項６】
請求項１から５のいずれかに記載の首掛けラベルにおいて、
前記第１のシート片に形成された前記第３の切れ目は、前記第１及び第２の切れ目を起点として互いに接近する方向に延びる線状切れ目と、
該線状切れ目に連続し、前記第１及び第２の切れ目間に設定された剥離領域を囲む囲繞切れ目とにより形成されていることを特徴とする首掛けラベル。
【請求項７】
請求項６に記載の首掛けラベルにおいて、
前記囲繞切れ目に囲まれた第１のシート片の剥離壁部は、該剥離壁部上に配置された第２又は第３のシート片に剥離可能に貼着され、
第１のシート片から第２又は第３のシート片を前記接着部を残して剥離した際に、前記剥離壁部が前記第１のシート片より分離して該剥離壁部上に配置された第２又は第３のシート片に貼着されることを特徴とする首掛けラベル。
【発明の詳細な説明】
【技術分野】
【０００１】
本発明は、各種容器に装着して諸情報を表示するための首掛けラベルに関する。
【背景技術】
【０００２】
一般に、清涼飲料水や酒類、調味料等の食品、乳液等の化粧品等について、商品のＰＲやキャンペーン、くじ、レシピ紹介を行う場合には、店頭陳列時に消費者の注意を喚起してその広告効果を高めるために、商品名、特徴、キャッチフレーズ、その他の情報を表示した首掛けラベルを容器等の首部に装着することが頻繁に行われている。
【０００３】
この種の首掛けラベルには、容器の首部を挿通させて掛止するよう、一のシート片に挿通孔を形成したものや、首部を挿通させる切れ目を形成したものが知られているが、一のシート片により形成される首掛けラベルでは、表示面積が限定的であり、特にシート片に挿通孔を形成した場合には、情報表示面積が該挿通孔の面積分減少してしまうため、より広い表示面を確保するために、下記特許文献１のような２枚のシート片により形成された首掛けラベルが提案されている。
【０００４】
特許文献１に開示された首掛けラベルは、図８、図９に示すように、容器１の首部２に係止されるものであって、矩形に形成された第１のシート片１０１と第２のシート１０２とが対向する１組の外周辺Ｐ、Ｑに沿った端部１０３、１０３において接着されたものである。
【０００５】
第１のシート片１０１には、図８に示すように、前記１組の接着された端部１０３、１０３に平行する方向に形成された２つの切れ目１０４、１０４と、該２つの切れ目１０４、１０４の両端部間中央に形成された１本の中央切れ目１０５とによって、Ｈ字状の切れ目が形成されている。また、前記中央切れ目１０５を中心としてこれに略平行に第１のシート片１０１の外端に寄せて、首部２の下部に係止させるための切り込み１０６が形成されている。
【０００６】
第２のシート片１０２には、前記１組の外周辺Ｐ、Ｑ間の中央にこれと平行な切れ目１０７が形成されており、該切れ目１０７の両側部の壁部１０８、１０９が観音開きできるように形成されている。
【０００７】
この構成の下に、首掛けラベル１００は、図８、図９に示すように、第１のシート片１０１が、これと第２のシート片１０２とが接着された端部１０３、１０３に直交する中心切れ目１０５より開口し、更に第２のシート片１０２が第１のシート片１０１の中心切れ目１０５と直交する切れ目１０７を中心に開口して立ち上がり、これら起立した第１のシート片１０１を構成する壁部１１０ａ、１１１ａと第２のシート片１０２を構成する壁部１０８、１０９が四方を囲んだ状態で容器１の上部に装着される。この際、切り込み１０６、１０６が首部２の下部に位置し、中心切れ目１０５を中心に開く壁部１１０ａ、１１１ａが略直立する。
【先行技術文献】
【特許文献】
【０００８】
【特許文献１】特開２００５−６２７０２号公報
【発明の概要】
【発明が解決しようとする課題】
【０００９】
ところで、首掛けラベル１００によると、第１のシート片１０１が容器１の首部２の外形に応じて折曲しつつ開口しても、該第１のシート片１０１には首部２の下部付近で切り込み１０６、１０６が形成されているため、該切り込み１０６、１０６の上部側の壁部１１０ａと下部側の壁部１１０ｂとが分断されてシート片による付勢力がほとんど作用しない。また、前記切り込み１０６の上部側の壁部１１０ａが直立して第２のシート片１０２を直交する方向に開口するよう押し広げるため、第２のシート片１０２も容器１の首部２に対して付勢力がほとんど働かない。よって、首掛けラベル１００の各シート片１０１、１０２は、首部２に対して確実な付勢力をもって当接できないため、しっかりと固定することができないという問題があった。
【００１０】
また、第１及び第２のシート片１０１、１０２が異なる多方向へ折曲されると共に、第１のシート片１０１の内方に切り込み１０６が形成されており、かつ第２のシート片１０２との接着部が近い壁部１１０ａ、１１１ａの根元部において局所的に応力がかかることがあるため、シート片の各部が破断しやすいという問題があった。
【００１１】
また、第２シート片１０２には、中央において切れ目１０７が形成されており、首掛けラベル１００を容器１に装着した際に、起立する面の高さ寸法が第１のシート片１０１と同寸法となり、開口した第２シート片１０２の一方のシート面しか見えず、単純な視覚的効果しか得られないという問題があった。
【００１２】
上記目的を達成するために、本発明は以下の手段を提供している。
【課題を解決するための手段】
【００１３】
請求項１の発明は、複数のシート片を積層し接合して形成され、該複数のシート片に形成された切れ目又は開口部内に容器の首部を挿通して係止する首掛けラベルにおいて、前記シート片の最下層に配置された第１のシート片には、容器の首部を挿通する部分の周縁部に互いに対向するように第１及び第２の切れ目が形成され、該第１及び第２の切れ目の間には、これら第１及び第２の切れ目の各中間部間を連結する第３の切れ目が形成され、これら第１から第３の切れ目に囲まれた部分は、それぞれ互いに離間する方向に開口可能とされるとともに、開口された部分に挿通される容器首部に係止可能な係止壁部とされ、これら各係止壁部の根元部外方に、第２及び第３のシート片の基端部が接着され、これら第１及び第２のシート片のいずれか一方又は双方の先端が該係止壁部を覆うように配置されていることを特徴とする。
【００１４】
請求項２の発明は、前記第２及び第３のシート片は、一のシート片を前記第１及び第２の切れ目間方向に形成する第４の切れ目において分割することにより形成されたものであることを特徴とする。
【００１５】
請求項３の発明は、前記第４の切れ目は、前記基端部が接着された接着部の一方に寄せて形成されていることを特徴とする。
【００１６】
請求項４の発明は、第２及び第３のシート片は、これら第２及び第３のシート片間方向の長さ寸法が互いに異なるシート片からなり、それぞれが、少なくとも係止壁部を覆い得る長さ寸法とされていることを特徴とする。
【００１７】
請求項５の発明は、前記第１のシート片と第２、第３のシート片とは、前記基端部が接着された接着部の間において剥離可能に接合されていることを特徴とする。
【００１８】
請求項６の発明は、前記第１のシート片に形成された前記第３の切れ目は、前記第１及び第２の切れ目を起点として互いに接近する方向に延びる線状切れ目と、該線状切れ目に連続し、前記第１及び第２の切れ目間に設定された剥離領域を囲む囲繞切れ目とにより形成されていることを特徴とする。
【００１９】
請求項７の発明は、前記囲繞切れ目に囲まれた第１のシート片の剥離壁部は、該剥離壁部上に配置された第２又は第３のシート片に剥離可能に貼着され、第１のシート片から第２又は第３のシート片を前記接着部を残して剥離した際に、前記剥離壁部が前記第１のシート片より分離して該剥離壁部上に配置された第２又は第３のシート片に貼着されることを特徴とする。
【発明の効果】
【００２０】
請求項１に記載の首掛けラベルによれば、容器首部への挿通時に、第１のシート片の係止壁部を容器首部に係止させ、更に、第２又は第３のシート片を前記係止壁部と同方向に拡開させて容器首部に付勢させながら当接させることが出来るため、複数のシート片が容器に当接し、首掛けラベルの挿通時の固定が確実となるという効果を奏する。また、第１のシート片に対し、第２及び第３のシート片が積層されて接着されることにより、首掛けラベル全体の剛性が高まって弾性変形時の弾性復帰力が強まるため、容器首部への係止力が一層強くなるという効果を奏する。
【００２１】
また、容器への装着時において、第１のシート片が弾性変形して湾曲し、この形状に沿って拡開するように第１のシート片の係止壁部が形成されているため、該係止壁部の根元部に開口による無理な応力が掛かり難く、破断等しにくいという効果を奏する。
【００２２】
請求項２に記載の首掛けラベルによれば、一のシート片の中間部に切れ目を形成して第２及び第３のシート片を形成するため、製造が簡便であるという効果を奏する。
【００２３】
請求項３に記載の首掛けラベルによれば、第２のシート片と第３のシート片の長さ寸法が異なるように拡開して、短い寸法のシート片の表面と長い寸法のシート片の裏面とにより情報表示面に奥行きを持たせることができるため、視覚的効果を高めることができるという効果を奏する。
【００２４】
請求項４に記載の首掛けラベルによれば、第２又は第３のシート片が容器首部に係止する係止壁部をその背後に位置させ、人がこれに徒に触れて係止が外れるのを防止することが可能となると共に、奥行きを持たせた表示の自由度が高まり、かつ情報表示面をより大きく確保することができるという効果を奏する。
【００２５】
請求項５に記載の首掛けラベルによれば、容器首部への挿通に必要な限りにおいて第１のシート片と第２及び第３のシート片が剥離されることで、首掛けラベルの剛性ないし弾性復帰力を極力保持させることができるという効果を奏する。
【００２６】
請求項６に記載の首掛けラベルによれば、囲繞切れ目部分において容器首部に係止しやすくなるという効果を奏する。
【００２７】
請求項７に記載の首掛けラベルによれば、囲繞切れ目により形成される剥離壁部が第１のシート片から分離した際に、第２又は第３のシート片に貼着するため、剥離壁部の処理の手間が省けるという効果を奏する。
【図面の簡単な説明】
【００２８】
【図１】は、本発明の第１の実施形態として示した首掛けラベルの使用状態を示す斜視図である。
【図２】（ａ）は、本発明の第１の実施形態として示した首掛けラベルの第１シート片の使用前の状態を示す平面図である。同図（ｂ）は、同首掛けラベルの第２シートの使用前の状態を示す平面図である。
【図３】は、本発明の第１の実施形態として示した首掛けラベルの積層構造の一例として図２に示すＡ−Ａ線矢印方向に視た断面の模式図である。
【図４】（ａ）、（ｂ）は、本発明の第１の実施形態として示した首掛けラベルの積層構造の他の例として図２に示すＡ−Ａ線矢印方向に視た断面の模式図である。
【図５】は、本発明の第１の実施形態として示した首掛けラベルの積層構造の他の例として図２に示すＡ−Ａ線矢印方向に視た断面の模式図である。
【図６】は、本発明の第１の実施形態として示した首掛けラベルの第１のシート片の他の例を示した平面図である。
【図７】は、本発明の第１の実施形態として示した首掛けラベルの第１のシート片の他の例を示した平面図である。
【図８】（ａ）は、従来の首掛けラベルの第１のシート片の使用前の状態を示す平面図であり、（ｂ）は、同首掛けラベルの第２のシート片の使用前の状態を示す平面図である。
【図９】は、従来の首掛けラベルの使用状態を示す斜視図である。
【発明を実施するための形態】
【００２９】
以下、図面を参照して本発明の実施の形態を説明する。
図１は、本発明による首掛けラベル５の使用状態を示す斜視図であり、図２（ａ）、（ｂ）は同首掛けラベル５を構成する第１のシート片６と第２、第３のシート片７、８の使用前の状態をそれぞれ示した平面図である。
【００３０】
ここで説明する首掛けラベル５は、図１に示すように、商品のＰＲ広告やキャンペーン等の各種情報を記載して、消費者の注意を喚起しつつ情報提供するためのものであり、清涼飲料水や調味料等が充填された容器１の肩部３ｂに装着される。
【００３１】
容器１は、液体等を充填する容器本体３の上部に形成された首部２にキャップ４を緊締してなるものである。この容器１の容器本体３の胴部３ａは、断面が略円形とされており、容器本体３の上部において、首部２に向かって断面の径寸法が漸次小となる肩部３ｂが形成されている。
【００３２】
図１、図２（ａ）、（ｂ）に示すように、首掛けラベル５は、略矩形に形成された第１のシート片６の上面に、第２、第３のシート片７、８となるシート材を積層して形成したものである。
【００３３】
第１のシート片６は、図２（ａ）に示すように、１枚のシート材の中央部において形成された係止壁部９、１０と、該係止壁部９、１０の中央部に形成された剥離壁部１１と、係止壁部９、１０の外方において長手方向に形成された撓み部１２、１３と、第２及び第３のシート片７、８の基端部２６、２７と接合する接着部１４、１５とから形成されている。
【００３４】
係止壁部９は、第１のシート片６の長手方向に形成された第１及び第２の切れ目１６、１７と、これら第１及び第２の切れ目１６、１７の中央点を起点として互いに接近する方向に延びる線状切れ目１８、１９と、これら線状切れ目１８、１９に連続し、接着部１４側に凹む切れ目２０に囲まれて形成された壁部である。
また、係止壁部１０は、係止壁部９と線状切れ目１８、１９上の線を軸として線対称に形成された壁部であり、切れ目２０に代えて、接着部１５側に凹む切れ目２１により囲まれて形成された壁部である。
線状切れ目１８、１９、及び囲繞切れ目を形成する切れ目２０、２１は、第３の切れ目を構成するものである。
【００３５】
この構成において、係止壁部９、１０がこれらを囲む切れ目１６、１７、１８、１９、２０、２１において上方に拡開し立ち上がった場合に、容器１の首部２に挿通することが可能となる開口部が形成される。
【００３６】
切れ目２０、２１の凹み形状の幅寸法Ｌ１は、容器１の首部２に略沿い得る寸法とされており、係止壁部９、１０の先端側両端部に形成された角部Ｈ１からＨ４が、それぞれキャップ４の側壁に略当接するように形成されている。
【００３７】
また、切れ目２０、２１の凹み形状の凹み深さＬ２は、容器１の首部２の断面半径の寸法よりも小寸法となるように形成されている。
また更に、切れ目１６、１７は、係止壁部９、１０がそれぞれ上方に拡開して開口部を形成し、切れ目２０、２１が首部２の下部に係止した際に、係止壁部９、１０の立上り状態に応じて拡開し、それぞれの端部ｍ、ｎ、ｈ、ｋが破断しない程度の寸法に形成されている。
また、切れ目１６、１７の各端部ｍ、ｎ、ｈ、ｋは、内方に向かって僅かに湾曲した形状とされている。
【００３８】
剥離壁部１１は、囲繞切れ目を形成する切れ目２０、２１により、楕円形に形成された壁部であり、第１シート片６から分離可能とされている。
【００３９】
撓み部１２は、切れ目１６と第１のシート片６の長手方向の外縁Ｓとの間に形成された壁部であり、また、撓み部１３は、切れ目１７と外縁Ｓに対向する外縁Ｔとの間に形成された壁部である。
【００４０】
接着部１４、１５は、図１、図２（ａ）に示すように、係止壁部９、１０の立ち上がりの際の根元部となる付近９ａ、１０ａよりもやや外方において第１のシート片６の幅方向全体に形成された部分である。この根元部９ａ、１０ａは、切れ目１６、１７の互いに対向する各端部ｍとｈ、ｎとｋとをそれぞれ結んだ位置に形成される。
【００４１】
第２及び第３のシート片７、８は、図２（ｂ）に示されたように、第１のシート片６と同一の形状及び寸法に形成された一のシート材が、その短辺の外縁Ｕ、Ｖに平行な第４の切れ目２５において切断されて形成されたものである。この第４の切れ目２５は、前述した第１の切れ目１６と第２の切れ目１７間方向に向くように形成されたものである。
【００４２】
図３に示すように、第２のシート片７は、その先端部が第１のシート片６の係止壁部９、１０を覆うように配置されており、その基端部２６が、接着部１４において第１のシート片６と接合されている。
また、第３のシート片８は、係止壁部１０のやや外方に配置され、その基端部２７が、接着部１５において第１のシート片６と接合されている。
この構成において、図２（ｂ）、図３に示すように、第４の切れ目２５は、第２のシート片７が係止壁部９、１０及び剥離壁部１１を覆う寸法関係になるように外縁Ｖ寄りに形成されている。
【００４３】
このような首掛けラベル５を装着した場合、図１に示すように第３のシート片８は、係止壁部１０の下方に位置するように接合されているため、係止壁部１０と共に、手前側に位置する情報表示部となる。
また、第２のシート片７は、係止壁部９全体を覆い、表面全体が情報表示部となると共に、その裏面も第３のシート片８側から見えるため、表裏面の両方が情報表示可能部となっている。
【００４４】
図２（ｂ）、図３に示すように、第１のシート片６の接着部１４、１５以外の部分、即ち、係止壁部９、１０とその外延Ｕ、Ｖ側の寄りの壁部、剥離壁部１１、及び撓み部１２、１３、は、これに対応する第２及び第３のシート片７、８の各部分と、剥離可能に弱接合されている。
上記部分の接合の強度は、係止壁部９、１０を容器１のキャップ４に押し付けた際に、自動掛止機等により係止壁部９、１０の立ち上がりに応じて容易に分離可能な程度の強度とされている。
【００４５】
この際、第２及び第３のシート片７、８の裏面には、図３に示すように、接着部２６、２７以外の部分において、透明のシリコン材３２が塗布されており、第１のシート片６と分離した際に、剥離可能な接着剤３１により粘着性を持たせない構成とされている。
【００４６】
第１から第３のシート片６、７、８の材質としては、紙、合成紙、ポリプロピレン、ポリエチレンなどのポリオレフィン系、ポリエチレンテフタレート等のポリエステル系、ポリスチレン系、ポリアミド系等の可撓性ある合成樹脂性シート等が好適に採用され得る。
【００４７】
次に、首掛けラベル５の容器１への装着方法について説明する。
首掛けラベル５を容器１の首部２に装着するにあたっては、図１に示すように、首掛けラベル５を、係止壁部１０が商品の正面側に位置するようにし、その第１のシート片６の剥離壁部１１がキャップ４の上方に位置するように水平に把持する。その上で、首掛けラベル５を下方に移動させ、キャップ４によって第１のシート片６の下面を押圧して係止壁部９、１０を上方に拡開させてキャップ４に挿通させ、係止壁部９、１０が首部２の下部に位置したところで、首掛けラベル５の装着が完了する。
【００４８】
このようにして、首掛けラベル５にキャップ４を挿通させた場合、首掛けラベル５作用・効果は次のとおりとなる。
第１のシート片６が、その下面からキャップ４によって押圧されると、係止壁部９、１０が当該キャップ４の形状に応じて上方に立ち上がり拡開しようとする。
【００４９】
係止壁部９、１０を覆っている第２のシート片７は、まず係止壁部１０から剥離して、係止壁部９と同方向に拡開する。第２のシート片７は、係止壁部１０に達する長辺を有したシート片であるので、キャップ４の上部に当接する。更に係止壁部９、１０が首部２の下部に達するまで首掛けラベル５を下方に移動させると、第２のシート片７は、キャップ４の上部に付勢した状態で剥離壁部１１を貼着させたまま係止壁部９からも分離する。
【００５０】
係止壁部９、１０がキャップ４の下方に位置すると、その弾性復帰力により切れ目２０、２１による端縁が首部２の下部に係合し、同時に角部Ｈ１からＨ４がキャップ４の側面下部に当接して、第１のシート片６が容器１の首部２及びキャップ４に係止する。
この際、第３のシート片８は、係止壁部１０の下方において、肩部３ｂに沿って位置している。
【００５１】
この場合、第３のシート片８及び係止壁部１０は、キャップ４の下方に位置し、第２のシート片７は、キャップ４及び首部２の下部を側方から付勢して覆うように位置しており、第３のシート片８を正面にして容器１に装着した場合、第３のシート片８が手前側に位置し、第２のシート片７の裏面がキャップ４の奥側に見えることになる。
【００５２】
首掛けラベル５は、上記のようにして容器１に装着されることにより、第１のシート片６の係止壁部９、１０を容器１の首部２下部に係止させ、更に、第２のシート片７をキャップ４に付勢して当接させることが出来るため、複数のシート片が容器１に付勢しつつ当接し、首掛けラベル５の挿通時の固定が確実となるという効果が得られる。
また、第１のシート片６に対し、第２及び第３のシート片７、８が積層されて接着されることにより、首掛けラベル５全体の剛性が高まって弾性変形時の弾性復帰力が強まるため、容器１の首部２への係止力が一層強くなるという効果を奏する。
【００５３】
また、第１のシート片６及び第２、第３のシート片７、８が同方向に湾曲し、これに沿うように係止壁部９、１０及び第２のシート片７が拡開する構成とされているので、各壁部及びシート片が無理なく弾性変形することができ、特に、係止壁部９、１０の根元部９ａ、１０ａに無理な応力が掛かり難く、首掛けラベル５を破損させることなく容器１に容易に装着可能となるという効果が得られる。
【００５４】
また、第２及び第３のシート片７、８は、一のシート材の第４の切れ目２５を設けて形成されているため、製造が簡便であるという効果が得られる。
【００５５】
また、図２（ｂ）に示すように、第２及び第３のシート片７、８のシート片間方向Ｙにおける長さ寸法がそれぞれ異なるように第４の切れ目２５が形成され、第２のシート片７の表面側の表示面積が大きくなり、消費者の注意を喚起し、情報を大きく表示できる等して視覚的効果が高められると共に、第３のシート片８の表面と第２のシート片７の裏面とが前後に奥行きを持って位置するため、該第３のシート片８の表面及び第２のシート片７の裏面に情報表示をすることにより、情報表示面が拡大すると共に、立体的な表現が可能となり、視覚的効果を高めることができるという効果が得られる。
【００５６】
すなわち、第２及び第３のシート片７、８の双方に情報表示が可能となり、かつ、第２のシート片の裏面も情報表示面として使用することが出来るので、広い面積をもってアイキャッチ効果を発揮させることができる。
また、第２及び第３のシート片７、８を上方に拡開させて起立させているため、情報表示面を消費者の真正面に向けることができる。
また更に、第２及び第３のシート片７、８の長さ寸法が異なるように形成されていると共に、間隔を置いて前後に配置されているので、第３のシート片８を手前側に、第２のシート片７を奥側になるように向きを決定することで、立体的な情報表示が可能となり、全体として消費者に強い印象を与えることができ、良好なアイキャッチ効果が得られる。
【００５７】
また更に、第１のシート片６と第２及び第３のシート片７、８の接着部１４、１５以外の部分において剥離可能な接着剤３１により弱接合しているため、容器首部２への係止に必要な限りにおいて第１のシート片６と第２及び第３のシート片７、８とを剥離させて、首掛けラベル５の剛性ないし弾性復帰力を極力保持させることができるという効果が得られる。
【００５８】
また、係止壁部９、１０の中心部に囲繞切れ目２０、２１を設け、これらに囲まれた囲繞壁部１１を分離可能としていることにより、第１のシート片６にキャップ４を挿通しやすいという効果が得られる。
【００５９】
また、首掛けラベル５に容器１のキャップ４部を挿通して、係止壁部９、１０を拡開させた際に、第２のシート片７が剥離壁部１１を貼着した状態で第１のシート片６から剥離されるため、第１のシート片６から分離した剥離壁部１１の処理の手間が省けるという効果が得られる。
【００６０】
また更に、剥離壁部１１は、剥離可能な接着剤３１により第２のシート片７に弱接合されているため、これを第２のシート片７から剥離させることが出来る。
この場合の剥離壁部１１、剥離可能な接着剤３１、及びシリコン材３２の構成としては、図４（ａ）に示すように、剥離壁部１１の外周縁で、接着剤３１及びシリコン材３２まで含めて囲繞切れ目２０、２１を形成するという構成とし、又は、同図（ｂ）に示すように、シリコン材３２を含めずに接着剤３１まで囲繞切れ目２０、２１を形成するという構成とする。
【００６１】
このような構成とすることで、例えば図４（ａ）に示す構成とした場合、剥離壁部１１の接合面にシリコン材３２が被膜されているため、剥離壁部１１の表面に粘着性を発生させず、剥離壁部１１の接合面にＱＲコードやくじ等を印刷して、剥離壁部１１を応募券として活用させることができるという効果が得られる。
また、図４（ｂ）に示すように、剥離壁部１１の外縁の囲繞切れ目２０、２１の構成として、シリコン材３２を剥離壁部１１側に貼着させないようにすると、剥離壁部１１の接合面に粘着性を設けることが出来るため、付箋、キャラクタを印刷したーシール、飲んだ飲料水等をカレンダー等に表示するための記録用シール等として活用させることが出来る。
【００６２】
なお、図５に示すように、剥離壁部１１の第２のシート片７側の面上１１ｘ、又は第２シート片７の裏面の剥離壁部１１が貼着される箇所７ｘに、示温インキやカプセル香料インキを塗布してもよい。
このようなインキを塗布することにより、剥離壁部１１を剥離した際に、容器１に充填された飲料水等の温度状態を確認したり、剥離壁部１１を第２シート片７から剥離させた際に香りを発生させたりすることが出来るという効果が得られる。
【００６３】
本実施形態において、第１のシート片６の係止壁部９、１０は、これらの中心部に囲繞切れ目２０、２１を形成し剥離壁部１１を分離させて、それぞれが接着部１４、１５方向に凹んでいる形状としたが、図６に示すように、第３の切れ目を直線状の切れ目３５のみにより構成し、矩形形状となるように形成しても良い。
この構成によると、係止壁部９、１０の形成が簡便となるという効果が得られる。
【００６４】
また、図７に示すように、第３の切れ目を２本の線状切れ目３６、３７により構成し、切れ目１６、１７及び線状切れ目３６、３７により囲まれる剥離壁部３８を設けるものとしてもよい。
この構成によると、上記実施形態と略同様の作用効果が得られる。
【００６５】
また更に、第２、第３のシート片７、８の面上に更にシート片を重ね、これを前方に折曲させて垂下させるという構成としてもよい。
このような構成とすることで、情報表示面を更に拡大することが可能となる。
【００６６】
また、第３のシート片８を、係止壁部１０を覆い得る程度の長さ寸法とし、第２のシート片７の長さ寸法を第３のシート片８以上の長さ寸法としてもよい。この場合、首掛けラベル５の未使用時には、長さ寸法の短い方の第３のシート片８の先端部が、長さ寸法が長い方の第２のシート片７の先端部の下方に位置するように、両者を重ね合わせる。
このような構成とすることで、情報表示面を更に拡大させて、手前面の第３のシート片８と奥側の第２のシート片７の裏面により奥行きを持たせた視覚的効果を発現させることが出来る共に、係止壁部の首部２への係止状態を隠してこれに人が徒に触れることを防止できるという効果が得られる。
【符号の説明】
【００６７】
１    容器
２    首部
５    首掛けラベル
６    第１のシート片
７    第２のシート片
８    第３のシート片
９    係止壁部
１０  係止壁部
１１  剥離壁部
１４  接着部
１５  接着部
１６  第１の切れ目
１７  第２の切れ目
１８  線状切れ目（第３の切れ目）
１９  線状切れ目（第３の切れ目）
２０  囲繞切れ目（第３の切れ目）
２１  囲繞切れ目（第３の切れ目）
２５  第４の切れ目
２６  基端部
２７  基端部
【図１】
2011081321.tif 000003
【図２】
2011081321.tif 000004
【図３】
2011081321.tif 000005
【図４】
2011081321.tif 000006
【図５】
2011081321.tif 000007
【図６】
2011081321.tif 000008
【図７】
2011081321.tif 000009
【図８】
2011081321.tif 000010
【図９】
2011081321.tif 000011